(57)【特許請求の範囲】
【請求項１】
固定枠に対し左右一側部にて開閉可能に支持された扉体と、
前記固定枠に対し左右他側部にて前記扉体を施錠する施錠手段とを備えた遊技機であって、
前記施錠手段は、
前記固定枠又は前記扉体いずれか一方の左右他側部に沿って取付けられる取付部と、当該取付部から前記固定枠又は前記扉体の他方側へ向け突設された支持部と、前記取付部と並行するように前記支持部の突出側端縁部から突出した突片部とを具備する縦長の基枠と、
鍵により操作される錠部材と、
前記鍵の操作に応じた前記錠部材の動作に連動して、前記支持部に沿って略垂直上下方向に摺動可能な摺動部材と、
前記摺動部材に対し少なくとも回動変位可能に係合されかつ前記取付部と前記突片部との間に配設された基部、及び、当該基部から突設されかつ前記突片部よりも前記基枠の外側に位置する係止部を具備した鉤部材と、
前記鉤部材を前記係止位置に付勢する付勢手段とを備え、
前記鉤部材は、
前記摺動部材の動作に連動して、前記固定枠又は前記扉体の他方側に設けられた被係止部に対し係止されて前記扉体の開放を規制する係止位置と、前記被係止部から離脱して前記扉体の開放を許容する非係止位置とに基準姿勢を略維持しつつ上下方向に摺動変位するよう構成され、
前記取付部又は前記突片部において、前記係止位置にある前記鉤部材の基部の側縁部と対向する部位に形成された孔部又は凹部からなる規制手段を備え、
前記係止位置にある鉤部材の係止部に対し、上下方向のうち前記鉤部材が前記係止位置から前記非係止位置へ向かう解錠方向への外力が前記摺動部材以外からかかり、当該鉤部材の姿勢が前記基準姿勢から所定姿勢に回動変化した場合には、前記鉤部材の前記解錠方向への摺動変位が前記規制手段により規制される構成であって、
前記鉤部材の係止部は、
略垂直上下方向に沿って形成されかつ前記被係止部に対し面接触可能な先端側縦縁部と、
前記被係止部に対し係止される係止側縦縁部と、
前記先端側縦縁部の上下両端部のうち施錠方向側の端部の高さ位置と、前記係止側縦縁部の上下両端部のうち施錠方向側の端部の高さ位置とが略同一高さ位置となるよう、前記先端側縦縁部から前記係止側縦縁部にかけて略水平方向に沿って形成された横縁部とを有し、
前記被係止部は、略垂直上下方向に沿って形成されかつ前記鉤部材の係止部の先端側縦縁部が当接可能な規制壁部を有し、
前記鉤部材が前記係止位置にある場合において、
前記鉤部材の係止部の先端側縦縁部の上下両端部のうち施錠方向側の端部の高さ位置が、前記被係止部の規制壁部の上下両端部のうち解錠方向側の端部の高さ位置より施錠方向側に位置し、
前記鉤部材の係止部の先端側縦縁部の上下両端部のうち解錠方向側の端部の高さ位置が、前記被係止部の規制壁部の上下両端部のうち施錠方向側の端部の高さ位置より解錠方向側に位置することを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、メンテナンス等の観点から遊技機本体（内枠）が固定枠（外枠）に対し開閉可能に設けられている。そのため、店員以外の者が無断で遊技機本体を開放できないように、遊技機には施錠装置が設けられている。かかる施錠装置としては、専用の鍵を用いて操作されるシリンダ錠と、固定枠に設けられた複数の被係止部に対しそれぞれ係脱可能に設けられた複数の鉤部材と、鍵によるシリンダ錠の解錠操作に応じて複数の鉤部材を連動させる伝達機構とを備えたものが知られている。そして、施錠状態では各鉤部材がそれぞれ対応する被係止部に係合することで遊技機本体が固定枠に対し開放不能となる。他方、専用の鍵でシリンダ錠を解錠操作することにより伝達機構を介して各鉤部材が被係止部から同時に離脱し、遊技機本体が開放可能となる。
【０００３】
近年、遊技ホールでは、営業中に遊技機本体を不正に解錠し、本体裏側に設けられた制御機器を不正に操作したり交換する等して、多くの遊技媒体を獲得する不正行為が行われている。このような不正解錠は、通常、遊技機本体と固定枠との隙間から針金等の線材を差込み、当該線材を施錠装置の鉤部材に引っ掛けて解錠方向に動かすことにより行われる。いずれか１つの鉤部材に対して不正な解錠操作が行われると、その動作が伝達機構を介して他の鉤部材に伝達され、全鉤部材が連動して被係止部から離脱し、遊技機本体が開放可能となる。
【０００４】
これに対し、いずれか１つの鉤部材に対して行われる不正な解錠操作に応じた鉤部材の動作が、解錠操作されていない他の鉤部材に伝達されるのを遮断する機構や、線材等を引っ掛けにくくするように鉤部材周辺を覆うカバー部材を備えたものも見受けられる（例えば特許文献１参照）。
【先行技術文献】
【特許文献】
【０００５】
【特許文献１】特開２００１−１２０８１７号公報
【発明の概要】
【発明が解決しようとする課題】
【０００６】
しかしながら、上記伝達遮断機構を備えたものであっても、複数の鉤部材に対して同時に不正な解錠操作がなされると、解錠されてしまうおそれがある。また、カバー部材を設けても、遊技機の表面に孔を開ける等すれば、容易に線材を施錠装置の鉤部材に引っ掛けることができるため、上記不正な解錠操作を防ぐことは難しい。
【０００７】
なお、上記課題は、遊技機本体と外枠とを施錠する施錠機構に限定されるものではなく、例えば遊技機本体と当該遊技機本体に対し開閉可能に設けられた開閉部材とを施錠する施錠機構などにも該当する問題であるとともに、ひいては、パチンコ機に限らず、スロットマシン等の他の遊技機にも該当する問題である。
【０００８】
本発明は、上記例示した課題等を解決するためになされたものであり、その目的は、線材等を用いた不正解錠に対する防御性能に優れた遊技機を提供することにある。
【課題を解決するための手段】
【０００９】
本発明に係る遊技機は、
固定枠に対し左右一側部にて開閉可能に支持された扉体と、
前記固定枠に対し左右他側部にて前記扉体を施錠する施錠手段とを備えた遊技機であって、
前記施錠手段は、
前記固定枠又は前記扉体いずれか一方の左右他側部に沿って取付けられる取付部と、当該取付部から前記固定枠又は前記扉体の他方側へ向け突設された支持部と、前記取付部と並行するように前記支持部の突出側端縁部から突出した突片部とを具備する縦長の基枠と、
鍵により操作される錠部材と、
前記鍵の操作に応じた前記錠部材の動作に連動して、前記支持部に沿って略垂直上下方向に摺動可能な摺動部材と、
前記摺動部材に対し少なくとも回動変位可能に係合されかつ前記取付部と前記突片部との間に配設された基部、及び、当該基部から突設されかつ前記突片部よりも前記基枠の外側に位置する係止部を具備した鉤部材と、
前記鉤部材を前記係止位置に付勢する付勢手段とを備え、
前記鉤部材は、
前記摺動部材の動作に連動して、前記固定枠又は前記扉体の他方側に設けられた被係止部に対し係止されて前記扉体の開放を規制する係止位置と、前記被係止部から離脱して前記扉体の開放を許容する非係止位置とに基準姿勢を略維持しつつ上下方向に摺動変位するよう構成され、
前記取付部又は前記突片部において、前記係止位置にある前記鉤部材の基部の側縁部と対向する部位に形成された孔部又は凹部からなる規制手段を備え、
前記係止位置にある鉤部材の係止部に対し、上下方向のうち前記鉤部材が前記係止位置から前記非係止位置へ向かう解錠方向への外力が前記摺動部材以外からかかり、当該鉤部材の姿勢が前記基準姿勢から所定姿勢に回動変化した場合には、前記鉤部材の前記解錠方向への摺動変位が前記規制手段により規制される構成であって、
前記鉤部材の係止部は、
略垂直上下方向に沿って形成されかつ前記被係止部に対し面接触可能な先端側縦縁部と、
前記被係止部に対し係止される係止側縦縁部と、
前記先端側縦縁部の上下両端部のうち施錠方向側の端部の高さ位置と、前記係止側縦縁部の上下両端部のうち施錠方向側の端部の高さ位置とが略同一高さ位置となるよう、前記先端側縦縁部から前記係止側縦縁部にかけて略水平方向に沿って形成された横縁部とを有し、
前記被係止部は、略垂直上下方向に沿って形成されかつ前記鉤部材の係止部の先端側縦縁部が当接可能な規制壁部を有し、
前記鉤部材が前記係止位置にある場合において、
前記鉤部材の係止部の先端側縦縁部の上下両端部のうち施錠方向側の端部の高さ位置が、前記被係止部の規制壁部の上下両端部のうち解錠方向側の端部の高さ位置より施錠方向側に位置し、
前記鉤部材の係止部の先端側縦縁部の上下両端部のうち解錠方向側の端部の高さ位置が、前記被係止部の規制壁部の上下両端部のうち施錠方向側の端部の高さ位置より解錠方向側に位置することをその要旨としている。
【発明の効果】
【００１０】
本発明の遊技機によれば、不正解錠に対する防御性能を高めることができる。
【図面の簡単な説明】
【００１１】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置の背面図である。
【図１１】施錠装置の右側面図である。
【図１２】施錠装置の左側面図である。
【図１３】施錠装置の正面図である。
【図１４】背面側から見た施錠装置の分解図である。
【図１５】側面側から見た施錠装置の分解図である。
【図１６】係止状態の鉤部材等を示す部分拡大部である。
【図１７】離脱状態の鉤部材等を示す部分拡大部である。
【図１８】施錠前の状態の鍵部材等を示す部分拡大図である。
【図１９】回動変位した鉤部材等を示す部分拡大図である。
【発明を実施するための形態】
【００１２】
以下、上記課題等を解決するのに適した各手段を項分けして説明する。なお、必要に応じて対応する手段に特有の作用効果等を付記する。
【００１３】
手段１．固定枠に対し左右一側部にて開閉可能に支持された扉体と、
前記固定枠に対し左右他側部にて前記扉体を施錠する施錠手段とを備えた遊技機であって、
前記施錠手段は、
鍵により操作される錠部材と、
前記鍵の操作に応じた前記錠部材の動作に連動して上下方向に摺動可能な摺動部材と、
前記摺動部材に対し相対変位可能に係合されるとともに、前記摺動部材の動作に連動して、所定の被係止部に対し係止されて前記扉体の開放を規制する係止位置と、前記被係止部から離脱して前記扉体の開放を許容する非係止位置とに基準姿勢を略維持しつつ上下方向に摺動変位する鉤部材と、
前記係止位置から前記非係止位置へ向かう前記鉤部材の解錠方向への摺動変位を規制可能な規制手段とを備え、
前記係止位置にある鉤部材に対し、前記摺動部材以外から前記解錠方向への外力がかかった場合には、当該鉤部材の姿勢が回動変化し、当該鉤部材の前記解錠方向への摺動変位が前記規制手段により規制されることを特徴とする遊技機。
【００１４】
上記手段１によれば、施錠時には、鉤部材が被係止部に係止され、扉体の開放が規制される。鍵を用いて解錠操作を行うと、その操作に応じて錠部材が動作する。錠部材の動作は摺動部材を介して鉤部材に伝達され、鉤部材が被係止部から離脱し、扉体の開放が許容される。一方、鍵を用いずに線材等によって鉤部材に対し直接の解錠操作、すなわち不正な解錠操作が行われた場合には、摺動部材に対する鉤部材の姿勢が回動変化し、鉤部材の解錠方向への摺動変位が規制手段により規制される。例えば、不正な解錠操作が鉤部材に対し行われると、当該鉤部材が回動し、当該鉤部材の一部が通常の摺動経路上から経路外へ突出し、係止爪等の規制手段により解錠方向への摺動変位が規制される。これにより、鉤部材は係止位置に維持されるため、扉体の開放は許容されない。結果として、線材等を用いた不正解錠に対する防御性能の向上が図られる。もちろん、鉤部材及びこれに対応する被係止部の数は１つに限定されるものではなく、これらを複数備えた構成としてもよい。この場合、複数の鉤部材それぞれに対応して上記規制手段が設けられることとなる。従って、複数の鉤部材に対して同時に不正な解錠操作が行われた場合でも扉体の開放は許容されない。なお、錠部材の例としては、鍵が挿入されて回動操作されるシリンダ錠などが挙げられる。また、被係止部は、固定枠又は扉体のうち、施錠手段が設けられた側とは反対側に設けられる。
【００１５】
手段２．固定枠に対し左右一側部にて開閉可能に支持された扉体と、
前記固定枠に対し左右他側部にて前記扉体を施錠する施錠手段とを備えた遊技機であって、
前記施錠手段は、
前記固定枠又は前記扉体いずれか一方の左右他側部に沿って取付けられる取付部、及び、当該取付部から前記固定枠又は前記扉体の他方側へ向け突設された支持部を具備する縦長の基枠と、
鍵により操作される錠部材と、
前記鍵の操作に応じた前記錠部材の動作に連動して、前記支持部に沿って上下方向に摺動可能な摺動部材と、
前記支持部の突出側端縁部より取付部側に位置しかつ前記摺動部材に対し相対変位可能に係合された基部、及び、当該基部から突設されかつ前記突出側端縁部より支持部外側に位置する係止部を具備した鉤部材を備え、
前記鉤部材が、前記摺動部材の動作に連動して、前記固定枠又は前記扉体の他方側に設けられた被係止部に対し係止されて前記扉体の開放を規制する係止位置と、前記被係止部から離脱して前記扉体の開放を許容する非係止位置とに基準姿勢を略維持しつつ上下方向に摺動変位する構成であって、
前記係止位置から前記非係止位置へ向かう前記鉤部材の解錠方向への摺動変位を規制可能な規制手段を備えたことを特徴とする遊技機。
【００１６】
上記手段２によれば、係止位置にある鉤部材の係止部に対し線材等を引っ掛けて、当該係止部に対し解錠方向への外力をかけると、鉤部材の姿勢が基準姿勢から回動変化し、鉤部材の解錠方向への摺動変位が規制手段により規制されることとなる。結果として、上記手段１と同様の作用効果が奏される。
【００１７】
手段３．固定枠に対し左右一側部にて開閉可能に支持された遊技機本体と、
前記遊技機本体に対し前記左右一側部にて開閉可能に支持された前面扉と、
前記固定枠に対し左右他側部にて前記遊技機本体を施錠し、かつ、前記遊技機本体に対し前記左右他側部にて前記前面扉を施錠する施錠手段とを備えた遊技機であって、
前記施錠手段は、
前記遊技機本体の左右他側部に沿って取付けられる取付部、及び、当該取付部から固定枠側へ向け突設された支持部を具備する縦長の基枠と、
鍵により操作される錠部材と、
前記鍵の操作に応じた前記錠部材の動作に連動して、前記支持部に沿って上下方向に摺動可能な摺動部材と、
前記支持部の突出側端縁部より取付部側に位置しかつ前記摺動部材に対し相対変位可能に係合された基部、及び、当該基部から突設されかつ前記突出側端縁部より支持部外側に位置する係止部を具備し、前記係止部が前記固定枠側に設けられた被係止部に係止される鉤部材と、
前記前面扉側に設けられた被係合部と係合する係合部材とを備え、
前記摺動部材が基準位置より上下方向一方へ摺動する動作に連動して、前記鉤部材が、前記被係止部に対し係止されて前記遊技機本体の開放を規制する係止位置から、前記被係止部から離脱して前記遊技機本体の開放を許容する非係止位置へ、基準姿勢を略維持しつつ前記上下方向一方へ摺動変位し、
前記摺動部材が基準位置より上下方向他方へ摺動する動作に連動して、前記係合部材が、前記被係合部に対し係合されて前記前面扉の開放を規制する係合位置から、前記被係合部から離脱して前記前面扉の開放を許容する非係合位置へ、前記上下方向他方へ摺動変位する構成であって、
前記係止位置から前記非係止位置へ向かう前記鉤部材の解錠方向への摺動変位を規制可能な規制手段を備えたことを特徴とする遊技機。
【００１８】
上記手段３によれば、上記手段１，２と同様の作用効果が奏される。また、上記手段３では、摺動部材を共用しつつも、遊技機本体の解錠及び前面扉の解錠を別々に行うことができる。結果として、遊技機本体と前面扉とを別々に開放でき、メンテナンス時等の作業性の向上を図るとともに、部品点数の増加を抑制することができる。
【００１９】
なお、鍵を用いずに線材等によって鉤部材に対し直接行われる解錠操作、すなわち不正な解錠操作によって鉤部材が非係止位置へ動かないようにするためには、例えば鉤部材を摺動部材に対し相対変位しないように固定し、両者が一体で摺動変位する構成としておくとともに、錠部材に鍵が差し込まれないと、錠部材のロック状態が解除されず、錠部材のカム板等に係合した摺動部材が摺動できない構成とすれば、鉤部材の解錠方向への摺動変位を規制することができる。しかしながら、上記手段３のように、遊技機本体の解錠及び前面扉の解錠に摺動部材が共用される場合には、鉤部材を摺動部材に対して少なくとも上下動可能（上下に相対変位可能）に係合する構成を採用せざるを得ない。従って、鉤部材を摺動部材に対して上下動可能とする構成を採用しつつ、鉤部材に対する直接の解錠操作によっては鉤部材が上下動しないようにすることが必要とされる。つまり、このような構成において、上記規制手段がより奏効することとなる。
【００２０】
手段４．前記規制手段は、前記取付部側又は前記支持部の突出側端縁部側において、前記係止位置にある前記鉤部材の基部の側縁部と対向する部位に形成された孔部又は凹部であることを特徴とする手段２又は３に記載された遊技機。
【００２１】
上記手段４によれば、鉤部材が係止位置において基準姿勢より回動した場合には、その基部の一部が孔部又は凹部内へ差し込まれることにより、当該孔部又は凹部の縁部において鉤部材の解錠方向への摺動変位が規制される。なお、支持部の突出側端縁部側に孔部又は凹部を設ける場合には、例えば鉤部材（基部）の摺動をガイドするように、支持部の突出側端縁部に沿って形成されたフランジ状のガイド部等に形成されることとなる。
【００２２】
仮に規制手段となる突起部を取付部等に設ける場合には、当該突起部が基準姿勢にある鉤部材（基部）の摺動の妨げとならないように、鉤部材（基部）の摺動経路となる支持部の幅（取付部と支持部の突出側端縁部との間隔）に、鉤部材（基部）の摺動に必要なあそび以上の無駄なクリアランスを持たせる必要がある。
【００２３】
これに対し、規制手段を取付部等に孔部又は凹部として形成することにより、規制手段となる無駄な出っ張り部分を形成する必要もないため、支持部の幅を極力狭め、施錠手段の大型化を抑制することができる。ひいては、上記規制手段（孔部又は凹部）を設けつつも、鉤部材が基準姿勢にある場合には、取付部と支持部の突出側端縁部（ガイド部）との間で鉤部材をガイドさせつつ鉤部材を摺動させることができるため、鉤部材の摺動動作の安定性を高めることができる。
【００２４】
さらに、鉤部材の基部の取付部側側縁部又は支持部突出側側縁部において、回動時に孔部又は凹部の周縁部と接触し得る部位に凹部を形成すれば、取付部等の孔部又は凹部の上下方向の長さを比較的短く設定しつつも、鉤部材の所望の回動量を確保することができる。従って、無駄に大きい孔部又は凹部を設けて、鉤部材の摺動動作の安定性を低下させるといった不具合を抑制することができる。
【００２５】
手段５．前記係止部は、上下方向に沿って形成された突出側端縁部を有し、
前記被係止部は、上下方向に沿って形成されかつ前記係止部の突出側端縁部が当接可能な規制部を有し、
前記鉤部材を基準位置である前記係止位置に付勢する付勢手段を備え、
前記鉤部材が前記基準位置にある場合において、
前記係止部の突出側端縁部の上下両端部のうち施錠方向側の端部の高さ位置が、前記被係止部の規制部の上下両端部のうち解錠方向側の端部の高さ位置より施錠方向側に位置し、
前記係止部の突出側端縁部の上下両端部のうち解錠方向側の端部の高さ位置が、前記被係止部の規制部の上下両端部のうち施錠方向側の端部の高さ位置より解錠方向側に位置することを特徴とする手段２乃至４のいずれかに記載の遊技機。
【００２６】
従来では、一般的に扉体等を開状態から閉状態とする施錠時には、鍵を用いなくとも施錠が行えるように構成されている。例えば、鉤部材の先端が略三角形状に先細りしており、扉体等を閉じていくと、先ず鉤部材の傾斜部位が被係止部に接するようになっている。従って、さらに扉体等を閉じていくことで、コイルばね等の付勢手段の付勢力に抗して鉤部材が解錠方向へ変位する。そして、鉤部材が被係止部を乗り越えると、鉤部材は付勢手段の付勢力により元の位置に戻り、被係止部に係止される。これにより扉体等の施錠が完了する。
【００２７】
仮に上記手段１等の構成において、鉤部材の先端を略三角形状に先細りさせた構成を採用すると、鍵を用いずに扉体等を施錠する際に鉤部材の傾斜部位が被係止部に接し、当該鉤部材に対し解錠方向への力がかかった場合、その動きは上記規制手段により規制されることとなる。このため、無理に扉体を閉じようとすると、鉤部材や被係止部の変形や破損等といった不具合が発生するおそれがある。
【００２８】
これに対し、上記手段５によれば、鉤部材は、常には付勢手段により基準位置（係止位置）に付勢されるとともに、その突出側端縁部の上下両端部のうち施錠方向側の端部（例えば下端部）の高さ位置が、被係止部の規制部の上下両端部のうち解錠方向側の端部（例えば上端部）の高さ位置より、施錠方向側（例えば下側）に位置するとともに、突出側端縁部の上下両端部のうち解錠方向側の端部（例えば上端部）の高さ位置が、被係止部の規制部の上下両端部のうち施錠方向側の端部（例えば下端部）の高さ位置より解錠方向側（例えば上側）に位置する。これにより、鍵を用いずに開状態にある扉体等を閉じた場合には、鉤部材の突出側端縁部と被係止部の規制部とが面接触するようにぶつかることとなり、鉤部材は解錠方向に摺動せず、扉体等を閉状態とすることはできない。換言すれば、鍵を用いて正規の操作を行い、被係止部に妨げられない位置に鉤部材を摺動変位させなければ、扉体等を閉じきることができなくなる。結果として、上述した鉤部材や被係止部の変形や破損等といった不具合の発生を抑えるとともに、上記不正行為が行われた場合でも、比較的容易かつ素早く扉体等が閉じられてしまうことがないため、遊技ホールの店員等が上記不正行為を早期発見することができるようになる。
【００２９】
手段６．前記鉤部材を前記基準姿勢に維持させる維持手段を備えたことを特徴とする手段１乃至５のいずれかに記載の遊技機。
【００３０】
上記手段６によれば、上記維持手段を備えることで、少なくとも鉤部材が摺動部材の動作に連動する際、当該鉤部材を基準姿勢に維持させつつ摺動させることができる。このため、鍵を用いて行う正規の解錠操作時において、鉤部材が規制手段により規制されてしまうといった不具合を防止することができる。これに対し、鉤部材への直接の不正な解錠操作が行われた場合には、維持手段の維持力に抗して鉤部材が回動すれば、規制手段により規制されることとなる。上記手段２等における維持手段としては、例えば「前記支持部の突出側端縁部側へ前記鉤部材（基部）を付勢する付勢手段」が一例に挙げられる。
【００３１】
なお、扉体等の施錠状態をより確実に保持するため、鉤部材等を係止位置側に付勢する付勢手段を備える構成としてもよい。この場合、鉤部材は、常には付勢手段によって係止位置側へ付勢されているが、適正な鍵の解錠操作があると、摺動部材から力を受けることにより、基準姿勢を維持しつつ非係止位置へ摺動変位する。つまり、付勢手段の付勢力に抗して鉤部材を変位させることにより、解錠方向に移動する。この際、上記手段６の維持手段と、鉤部材の付勢手段とを単一の付勢部材（コイルばね等の弾性部材）に具現化すれば、部品点数の増加を抑制するとともに、構成の簡素化を図ることができる。また、例えば、上記手段３等では、鉤部材を係止位置側に付勢する付勢手段と、係合部材を係合位置側へ付勢する付勢手段とを備えることにより、摺動部材が基準位置に維持される構成とすることもできる。
【００３２】
手段７．前記錠部材に前記鍵の挿入がない場合には、前記摺動部材と係合する前記錠部材の係合部材が変位不能となり、前記係合部材により前記摺動部材の摺動が規制されることを特徴する手段１乃至手段６のいずれかに記載の遊技機。
【００３３】
上記手段７によれば、錠部材に鍵が差し込まれないと、錠部材のロック状態が解除されず、錠部材の係合部材（カム板等）に係合した摺動部材が摺動できない。これにより、鍵を用いずに摺動部材を不正に直接摺動させて、鉤部材を不正に解錠する不正行為を防止することができる。
【００３４】
手段８．前記錠部材と前記摺動部材との係合部及びその周辺を覆うカバー部材を備えたことを特徴とする手段１乃至７のいずれかに記載の遊技機。
【００３５】
上記手段８によれば、鍵を用いずに摺動部材を不正に直接摺動させて、鉤部材を不正に解錠する不正行為を防止することができる。
【００３６】
従来では、遊技領域や各種制御基板等の設置スペースを確保するべく、施錠手段全体の横幅を極力狭くしつつ、錠部材の配設位置においては、その設置スペースを確保する必要がある。このため、摺動部材に対し、錠部材を避けるようにして側方へ膨出する膨出部を形成することで、錠部材の設置スペースを確保している。ところが、上記のように膨出部が形成される場合には、当該膨出部の上下部において当該膨出部と摺動部材本体部との間に段差部が形成されることとなる。このように摺動部材に段差部が形成される場合には、当該段差部に金属片等を押し当てて、摺動部材を摺動させることが可能となってしまう。つまり、鍵を用いずに摺動部材を不正に直接摺動させて、鉤部材を不正に解錠する不正行為が行われるおそれがある。これに対し、上記カバー部材により摺動部材の膨出部（段差部）まで覆うようにすれば、前記不正行為を防止することができる。
【００３７】
以下に、上記各手段が適用される各種遊技機の基本構成を示す。
【００３８】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００３９】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００４０】
Ｃ．上記各手段における前記遊技機、又は、上記各弾球遊技機は、パチンコ機又はパチンコ機に準ずる遊技機であること。
【００４１】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００４２】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【００４３】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００４４】
図１乃至図４に示すように、パチンコ機１０は、当該パチンコ機１０の外郭を構成する固定枠としての外枠１１を備えており、この外枠１１の一側部に遊技機本体（扉体）としての内枠１２が開閉可能に支持されている。外枠１１は、例えば木製の板材により全体として矩形状に構成され、小ネジ等の離脱可能な締結具により各板材が組み付けられている。
【００４５】
ここで、外枠１１について図５を参照しつつ説明する。外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、外枠１１の右辺部には、後述する施錠装置６００の鉤部材６１３，６１４に対応して、上下一対の被係止部としての受け金具８３，８４が取付けられている。
【００４６】
さらに、外枠１１下部には、樹脂製の幕板飾り８５が取着されている。幕板飾り８５の上面奥部には、上方に突出するリブ８８が一体形成されている。これにより内枠１２との間に隙間が形成されにくくなっている。また、外枠１１の右辺部内側面には切欠き部８９が形成されている。この切欠き部８９は、内枠１２を閉状態とした際に、内枠１２の背面側に設けられた施錠装置６００等が外枠１２と接触するのを防止するためのものである。
【００４７】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００４８】
また、内枠１２の前面側には、前面扉としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００４９】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００５０】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００５１】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００５２】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００５３】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００５４】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００５５】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００５６】
また、前面枠セット１４の右側部背面側には、後方に向って突出した３つの前面枠セット鉤部１４ａ，１４ｂ，１４ｃが上下方向に並んで設けられている（図４参照）。そして、前面枠セット１４の閉状態においては、後述するように前面枠セット鉤部１４ａ，１４ｂ，１４ｃにより、前面枠セット１４の開放が規制される。
【００５７】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００５８】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００５９】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００６０】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００６１】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００６２】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００６３】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００６４】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００６５】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００６６】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００６７】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００６８】
次に、パチンコ機１０の背面の構成を図８に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００６９】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００７０】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００７１】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００７２】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００７３】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００７４】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００７５】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００７６】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００７７】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００７８】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００７９】
次に、裏パックユニット２０３の構成を説明する。裏パックユニット２０３は、樹脂成形された裏パック３５１と遊技球の払出機構部３５２とを一体化したものである。
【００８０】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００８１】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００８２】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００８３】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００８４】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００８５】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００８６】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００８７】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００８８】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００８９】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００９０】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００９１】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００９２】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００９３】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００９４】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００９５】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００９６】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００９７】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００９８】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００９９】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１００】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１０１】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１０２】
次に、内枠１２の施錠機構及び前面枠セット１４の施錠機構について図１０乃至図１５を参照して説明する。本実施形態における両施錠機構は単一の施錠装置６００によって具現化されている。後述するように施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。従って、施錠装置６００は本実施形態における施錠手段を構成する。ここで、図１０は、施錠装置６００の背面図であり、図１１は右側面図、図１２は左側面図、図１３は正面図である。また、図１４は、背面側から見た施錠装置６００の分解図であり、図１５は、側面側から見た施錠装置６００の分解図である。
【０１０３】
施錠装置６００は、内枠１２の背面側左側辺部（図７左側）に沿って取付けられている。施錠装置６００の外郭を構成する縦長の基枠６０１は、内枠１２の背面部に固定される取付部としての取付板６０２と、当該取付板６０２の内枠１２内方側（窓孔３９側）の端縁から後方に突出した支持部としての支持板６０３とを備えており、これらが一体となって横断面略Ｌ字状をなしている。
【０１０４】
取付板６０２には、複数の取付孔６０５が穿設されるとともに、上下方向に沿って３箇所に矩形状の挿入孔６０７，６０８，６０９が形成されている。これら挿入孔６０７，６０８，６０９に対応する内枠１２の部位には、連通孔９７，９８，９９が形成されている（図６参照）。そして、前面枠セット１４の閉時においては、後述するように、前面枠セット１４の背面部に突出形成された被係合部としての前面枠セット鉤部１４ａ，１４ｂ，１４ｃ（図４参照）が、内枠１２の連通孔９７，９８，９９を介して、取付板６０２の挿入孔６０７，６０８，６０９へ進入するようになっている。
【０１０５】
また、基枠６０１の内側には、支持板６０３に沿って上下方向に摺動する摺動部材としての摺動杆６１０、上下一対の鉤部材６１３，６１４、上記挿入孔６０７，６０８，６０９に対応して設けられた係合部材としての前面枠セット施錠部材６１７，６１８，６１９などが配設されている。なお、施錠装置６００を構成する基枠６０１、摺動杆６１０、鉤部材６１３，６１４、前面枠セット施錠部材６１７，６１８，６１９などの各部材は、金属平板をプレス成形等することにより形成されている。
【０１０６】
基枠６０１（取付板６０２及び支持板６０３）は、下側の鉤部材６１４の取付位置よりもやや上方位置において、内枠１２内方側（窓孔３９側）に向けて膨出している。これは、遊技領域や各種制御基板等の設置スペースをより広く確保するために、施錠装置６００全体の横幅を極力狭くしつつ、シリンダ錠７００の配設位置においては、その設置スペースを確保するためである。また、摺動杆６１０も同様に、基枠６０１の膨出部位に対応する部位が膨出している。この摺動杆６１０の膨出部６１０ａには、後述するシリンダ錠７００のカム板７０３が係合可能な上下一対の矩形状の係合孔６２１，６２２が形成されている。
【０１０７】
ここで、まず内枠１２の施錠機構に関連する部分について説明する。内枠１２の施錠機構を構成する鉤部材６１３，６１４は、摺動杆６１０よりも内枠１２外方側に配設されている。
【０１０８】
鉤部材６１３，６１４は、摺動杆６１０と重畳する略長方形状の基部６１３ａ，６１４ａと、当該基部６１３ａ，６１４ａから支持板６０３の突出方向に沿って後方へ延びる突出部６１３ｂ，６１４ｂと、当該突出部６１３ｂ，６１４ｂの先端から下方へ突出する爪部６１３ｃ，６１４ｃとから構成されている。つまり、基部６１３ａ，６１４ａは、支持板６０３の後縁部（突出側端縁部）より前側（取付板６０２側）に位置しており、突出部６１３ｂ，６１４ｂ及び爪部６１３ｃ，６１４ｃは、支持板６０３の後縁部（突出側端縁部）より後側（支持部外側）に位置している。従って、突出部６１３ｂ，６１４ｂ及び爪部６１３ｃ，６１４ｃにより本実施形態における係止部が構成される。上記構成により、鉤部材６１３，６１４は、支持板６０３より後方へ突出した部分（突出部６１３ｂ，６１４ｂ及び爪部６１３ｃ，６１４ｃ）が下方へ屈曲した鉤状となっており、その下側において上記外枠１１の受け金具８３，８４と係合する。
【０１０９】
鉤部材６１３，６１４に対応して、摺動杆６１０及び支持板６０３の上部及び下部には、それぞれ内ガイド孔６２５，６２６及び外ガイド孔６２７，６２８が形成されている。各ガイド孔６２５〜６２８は上下方向に長い長円状をなす。そして、摺動杆６１０の内ガイド孔６２５，６２６及び支持板６０３の外ガイド孔６２７，６２８を通して、ガイドピン６３１，６３２が支持板６０３の外側から差し込まれた状態で、鉤部材６１３，６１４（基部６１３ａ，６１４ａ）に対し固定されている。これにより、鉤部材６１３，６１４は、基枠６０１（支持板６０３）及び摺動杆６１０に対して、上下に相対変位可能かつ回動変位可能に係合されるとともに、摺動杆６１０の摺動に連動して摺動可能となる。
【０１１０】
また、取付板６０２の内枠１２外方側縁部には、基枠６０１内側（後側）へ突出したフランジ部が略全長にわたって設けられ、支持板６０３の後縁部（突出側端縁部）には、基枠６０１内側（内枠１２外方側）へ突出するフランジ部が複数設けられている。これらフランジ部は、摺動杆６１０や前面枠セット施錠部材６１７，６１８，６１９等の摺動動作の安定性を高めるガイド部としての機能を備えるとともに、基枠６０１内側への線材等の侵入を防ぎ、摺動杆６１０等に対する不正な解錠操作を防ぐ機能などを備えている。このうち、鉤部材６１３，６１４に対応する位置に設けられた支持板６０３側のフランジ部６３５，６３６は、鉤部材６１３，６１４の摺動をガイドする機能も有している。詳しくは、フランジ部６３５，６３６の上部には、スリット６３５ａ，６３６ａが形成されている。このスリット６３５ａ，６３６ａを介して鉤部材６１３，６１４の突出部６１３ｂ，６１４ｂが支持板６０３より後方へ突出している。このような構成により、鉤部材６１３，６１４は、ガイドピン６３１，６３２やフランジ部６３５，６３６によりガイドされつつ、上下に摺動可能に保持される。
【０１１１】
各鉤部材６１３，６１４は、維持手段及び付勢手段としてのコイルばねＣ１，Ｃ２により、下方かつ後方（フランジ部６３５，６３６側）へ付勢されている。詳しくは、コイルばねＣ１，Ｃ２は、一端が鉤部材６１３，６１４（基部６１３ａ，６１４ａ）のフック部６１３ｄ，６１４ｄに掛けられるとともに、他端がフランジ部６３５，６３６の下部に設けられたフック部６３５ｂ，６３６ｂに掛けられている。これにより、通常時には、ガイドピン６３１，６３２が支持板６０３の外ガイド孔６２７，６２８の下縁部に付勢される位置において、鉤部材６１３，６１４が保持されている。従って、鉤部材６１３，６１４の摺動範囲のうち、ガイドピン６３１，６３２が支持板６０３の外ガイド孔６２７，６２８の下縁部に当接する位置が鉤部材６１３，６１４の係止位置（基準位置）に相当する。これに対し、ガイドピン６３１，６３２が支持板６０３の外ガイド孔６２７，６２８の上縁部に当接する位置が鉤部材６１３，６１４の非係止位置に相当する。
【０１１２】
上記構成により、内枠１２の施錠状態においては、外枠１１の内側に固定された受け金具８３，８４に対して鉤部材６１３，６１４の爪部６１３ｃ，６１４ｃが係止され、内枠１２の開放が規制される（図１６等参照）。
【０１１３】
次に、前面枠セット１４の施錠機構に関連する部分について説明する。上述したように前面枠セット１４の施錠機構を構成する上記前面枠セット施錠部材６１７，６１８，６１９は、取付板６０２の挿入孔６０７，６０８，６０９に対応して配設されており、基枠６０１内側に沿って摺動可能となっている。
【０１１４】
前面枠セット施錠部材６１７，６１８，６１９は、横断面コ字状に折曲形成されている。そのうち取付板６０２側の取付側壁部６１７ａ，６１８ａ，６１９ａには矩形状の係止孔６１７ｂ，６１８ｂ，６１９ｂが形成されている。
【０１１５】
また、取付側壁部６１７ａ，６１８ａ，６１９ａには、係止孔６１７ｂ，６１８ｂ，６１９ｂよりも下方位置において、上下方向に長い長円状の取付側ガイド孔６１７ｃ，６１８ｃ，６１９ｃが形成されている。これら取付側ガイド孔６１７ｃ，６１８ｃ，６１９ｃを介して、基枠６０１内側から取付板６０２に対しガイドピン６４１，６４２，６４３が固定されている。
【０１１６】
一方、前面枠セット施錠部材６１７，６１８，６１９のうち、支持板６０３側の支持側壁部６１７ｄ，６１８ｄ，６１９ｄには、上下方向に長い長円状の支持側ガイド孔６１７ｅ，６１８ｅ，６１９ｅが形成されている。これら支持側ガイド孔６１７ｅ，６１８ｅ，６１９ｅを介して、基枠６０１内側から摺動杆６１０に対しガイドピン６４５，６４６，６４７が固定されている。
【０１１７】
各前面枠セット施錠部材６１７，６１８，６１９は、付勢手段としてのコイルばねＣ３，Ｃ４，Ｃ５により、上方へ付勢されている。詳しくは、コイルばねＣ３，Ｃ４，Ｃ５は、一端が前面枠セット施錠部材６１７，６１８，６１９（支持側壁部６１７ｄ，６１８ｄ，６１９ｄ）のフック部６１７ｆ，６１８ｆ，６１９ｆに掛けられるとともに、他端が取付板６０２に設けられたフック部６５１，６５２，６５３に掛けられている。これにより、通常時には、取付側ガイド孔６１７ｃ，６１８ｃ，６１９ｃの下縁部が取付板６０２のガイドピン６４１，６４２，６４３に付勢される位置において、前面枠セット施錠部材６１７，６１８，６１９が保持されている。この際、支持側ガイド孔６１７ｅ，６１８ｅ，６１９ｅの下縁部も同様に、摺動杆６１０のガイドピン６４５，６４６，６４７に付勢されている。また、この状態では、係止孔６１７ｂ，６１８ｂ，６１９ｂが、取付板６０２の挿入孔６０７，６０８，６０９の上部に重なるように位置するとともに、取付側壁部６１７ａ，６１８ａ，６１９ａにより挿入孔６０７，６０８，６０９の下部が塞がされた状態となっている。
【０１１８】
なお、前面枠セット施錠部材６１７，６１８，６１９の摺動範囲のうち、取付側ガイド孔６１７ｃ，６１８ｃ，６１９ｃの下縁部が取付板６０２のガイドピン６４１，６４２，６４３に当接する位置が前面枠セット施錠部材６１７，６１８，６１９の係合位置（基準位置）に相当する。これに対し、取付側ガイド孔６１７ｃ，６１８ｃ，６１９ｃの上縁部が取付板６０２のガイドピン６４１，６４２，６４３に当接する位置が前面枠セット施錠部材６１７，６１８，６１９の非係合位置に相当する。
【０１１９】
上記構成により、前面枠セット１４の施錠状態においては、上述したように前面枠セット鉤部１４ａ，１４ｂ，１４ｃが、取付側壁部６１７ａ，６１８ａ，６１９ａの係止孔６１７ｂ，６１８ｂ，６１９ｂを介して、取付側壁部６１７ａ，６１８ａ，６１９ａの背面側にて係止され、前面枠セット１４の開放が規制される。
【０１２０】
また、摺動杆６１０は、通常時、内ガイド孔６２５，６２６の下縁部が支持板６０３の外ガイド孔６２７，６２８の下縁部と略同一高さ位置となる位置において保持されている。この位置が摺動杆６１０の基準位置に相当する。摺動杆６１０が基準位置にある場合には、内ガイド孔６２５，６２６の下縁部が鉤部材６１３，６１４のガイドピン６３１，６３２と係合すること、つまりコイルばねＣ１，Ｃ２の引張力によって、上方への動作が抑えられた状態にあるとともに、摺動杆６１０のガイドピン６４５，６４６，６４７が支持側ガイド孔６１７ｅ，６１８ｅ，６１９ｅと係合すること、つまりコイルばねＣ３，Ｃ４，Ｃ５の引張力によって、下方への動作が抑えられた状態にある。そして、後述するシリンダ錠７００が操作された場合には、コイルばねＣ１等の引張力に抗して上方又は下方へ摺動変位する。
【０１２１】
さて、取付板６０２の下部の拡幅部分（上記膨出部分に対応する部位）には、錠部材としてのシリンダ錠７００が取付けられている。シリンダ錠７００は、鍵穴を有する錠本体部が取付板６０２を貫通して前方へ延び、前面枠セット１４の前面側に露出している。シリンダ錠７００の背面側には、鍵穴に挿入された鍵の回動動作を摺動杆６１０に伝達する係合部材としてのカム板７０３が設けられている。
【０１２２】
カム板７０３は、上下一対の係合爪７０３ａ，７０３ｂを備えている。そして、この係合爪７０３ａ，７０３ｂが、それぞれ上記摺動杆６１０の係合孔６２１，６２２に係合されている。
【０１２３】
なお、本実施形態のシリンダ錠７００は、鍵の挿入がない場合にはロック状態となり、カム板７０３が変位不能となる。そして、摺動杆６１０が基準位置にある場合には、係合爪７０３ａ，７０３ｂが双方とも係合孔６２１，６２２に挿入された状態となっており、ロック状態にあるカム板７０３により摺動杆６１０の摺動が規制されるようになっている。
【０１２４】
また、施錠装置６００には、シリンダ錠７００の背面側を覆うようにしてカバー部材としての施錠カバー７０５が取付固定されている。施錠カバー７０５によって、カム板７０３と摺動杆６１０との係合部が覆われるとともに、摺動杆６１０の膨出部６１０ａ略全体（上下の段差部を含む）が覆われている。
【０１２５】
次に、施錠装置６００の作用について詳しく説明する。先ず前面枠セット１４の施錠及び解錠について詳しく説明する。前面枠セット１４の施錠状態においては、前面枠セット鉤部１４ａ，１４ｂ，１４ｃが、前面枠セット施錠部材６１７，６１８，６１９に係止されており、前面枠セット１４の開放が規制されている。
【０１２６】
そして、前面枠セット１４を解錠する際には、シリンダ錠７００の鍵穴に挿入した鍵を図１における反時計回り方向に回動させる。これにより、カム板７０３が同方向に回動して、上側の係合爪７０３ａが上側の係合孔６２１の下縁部に接触し、当該係合爪７０３ａに押下げられるようにして摺動杆６１０が下方へ摺動する。
【０１２７】
摺動杆６１０が下方へ摺動すると、摺動杆６１０のガイドピン６４５，６４６，６４７が、支持側ガイド孔６１７ｅ，６１８ｅ，６１９ｅの下縁部を押下げ、コイルばねＣ３，Ｃ４，Ｃ５の引張力に抗して前面枠セット施錠部材６１７，６１８，６１９が下方へ摺動する。この際、すべての前面枠セット施錠部材６１７，６１８，６１９が摺動杆６１０に連動して同時に下方へ摺動する。これにより、全ての前面枠セット鉤部１４ａ，１４ｂ，１４ｃと、前面枠セット施錠部材６１７，６１８，６１９との係合が解除され、前面枠セット１４の開放が許容される。
【０１２８】
なお、上述しように鉤部材６１３，６１４が係止位置（基準位置）にある場合、ガイドピン６３１，６３２が係合された摺動杆６１０の内ガイド孔６２５，６２６の上部には、ガイドピン６３１等が相対変位するスペースが確保されている。このため、摺動杆６１０が下方へ摺動した場合でも、鉤部材６１３，６１４は摺動せず、そのままの状態を維持できるようになっている。
【０１２９】
一方、前面枠セット１４を施錠する際には、鍵を用いることなく施錠を行うことができる。より詳しくは、開状態にある前面枠セット１４を閉じていくと、前面枠セット鉤部１４ａ，１４ｂ，１４ｃが内枠１２の連通孔９７，９８，９９及び取付板６０２の挿入孔６０７，６０８，６０９を介して、前面枠セット施錠部材６１７，６１８，６１９の係止孔６１７ｂ，６１８ｂ，６１９ｂ内に進入し、前面枠セット鉤部１４ａ，１４ｂ，１４ｃ先端の爪部（傾斜部位）が取付側壁部６１７ａ，６１８ａ，６１９ａに接触する。さらに前面枠セット１４を閉じていくと、前面枠セット施錠部材６１７，６１８，６１９が下方へ押され、コイルばねＣ３，Ｃ４，Ｃ５の引張力に抗して一旦下方へ摺動する。その後、前面枠セット鉤部１４ａ，１４ｂ，１４ｃの爪部が前面枠セット施錠部材６１７，６１８，６１９を越えると、コイルばねＣ３，Ｃ４，Ｃ５の引張力により前面枠セット施錠部材６１７，６１８，６１９が元の位置に戻り、前面枠セット鉤部１４ａ，１４ｂ，１４ｃと係合する。これにより、前面枠セット１４の開放が規制される。
【０１３０】
なお、上述したように前面枠セット施錠部材６１７，６１８，６１９が係合位置（基準位置）にある場合、取付板６０２のガイドピン６４１，６４２，６４３が係合された取付側ガイド孔６１７ｃ，６１８ｃ，６１９ｃの上部、及び、摺動杆６１０のガイドピン６４５，６４６，６４７の係合された支持側ガイド孔６１７ｅ，６１８ｅ，６１９ｅの上部には、ガイドピン６４１等が相対変位するスペースが確保されている。これにより、前面枠セット施錠部材６１７，６１８，６１９が下方へ摺動変位した場合でも、これに連動して摺動杆６１０が摺動しないようになっている。
【０１３１】
また、上記構成の通り、各前面枠セット施錠部材６１７，６１８，６１９は、それぞれ独立して摺動変位できるように構成されているため、仮に不正な解錠操作によって前面枠セット施錠部材６１７，６１８，６１９のいずれか１つに対し直接外力が加えられた場合でも、これに摺動杆６１０が連動しないため、他の前面枠セット施錠部材は摺動変位せずに、係合位置を維持したままとなる。
【０１３２】
次に内枠１２の施錠及び解錠について詳しく説明する。内枠１２の施錠状態においては、上述したように外枠１１の内側に固定された受け金具８３，８４に対して鉤部材６１３，６１４の爪部６１３ｃ，６１４ｃが係止され、内枠１２の開放が規制されている（図１６参照）。
【０１３３】
そして、内枠１２を解錠する際には、シリンダ錠７００の鍵穴に挿入した鍵を図１における時計回り方向に回動させる。これにより、カム板７０３が同方向に回動して、下側の係合爪７０３ｂが下側の係合孔６２２の上縁部に接触し、当該係合爪７０３ｂに押上げられるようにして摺動杆６１０が上方に摺動する。
【０１３４】
摺動杆６１０が上方へ摺動すると、摺動杆６１０の内ガイド孔６２５，６２６の下縁部によってガイドピン６３１，６３２が引き上げられ、コイルばねＣ１，Ｃ２の引張力に抗して鉤部材６１３，６１４が上方へ摺動する。この際、摺動杆６１０に連動して、両鉤部材６１３，６１４が同時に上方へ摺動する。これにより、すべての鉤部材６１３，６１４と受け金具８３，８４との係合が解除され、内枠１２の開放が許容される（図１７参照）。なお、鉤部材６１３，６１４が上方へ摺動する際には、コイルばねＣ１，Ｃ２の引張力により、鉤部材６１３，６１４はフランジ部６３５，６３６側へ引き付けられるため、係止状態中の基準姿勢を略維持しつつ上方へ摺動する。
【０１３５】
また、上述したように前面枠セット施錠部材６１７，６１８，６１９が係合位置（基準位置）にある場合、摺動杆６１０のガイドピン６４５，６４６，６４７が係合された前面枠セット施錠部材６１７，６１８，６１９の支持側ガイド孔６１７ｅ，６１８ｅ，６１９ｅの上部には、ガイドピン６４５等が相対変位するスペースが確保されている。これにより、摺動杆６１０が上方へ摺動変位した場合でも、前面枠セット施錠部材６１７，６１８，６１９は摺動せず、そのままの状態を維持できるようになっている。
【０１３６】
一方、内枠１２を施錠する際には、本実施形態では鍵を用いなければ施錠を行うことができないように構成されている。
【０１３７】
より詳しくは、鉤部材６１３，６１４の突出側端縁部（後端縁部）６１３ｈ，６１４ｈは、突出部６１３ｂ，６１４ｂから爪部６１３ｃ，６１４ｃにかけて、上下方向に沿って略直線状に形成されている。
【０１３８】
これに対し、受け金具８３，８４の前面部８３ａ，８４ａ（図５参照）は、鉤部材６１３，６１４の突出側端縁部６１３ｈ，６１４ｈが面接触可能なように上下方向に沿って形成されている。従って、受け金具８３，８４の前面部８３ａ，８４ａが本実施形態における規制部を構成する。
【０１３９】
そして、図１８に示すように、鉤部材６１３，６１４が基準位置にある場合において、鉤部材６１３，６１４の突出側端縁部６１３ｈ，６１４ｈの下端部（施錠方向側の端部）の高さ位置Ｔ１が、受け金具８３，８４の上端部（解錠方向側の端部）の高さ位置Ｔ２より下方（施錠方向側）、かつ、受け金具８３，８４の下端部（施錠方向側の端部）の高さ位置Ｔ３より上方（解錠方向側）に位置している。また、鉤部材６１３，６１４の突出側端縁部６１３ｈ，６１４ｈの上端部（解錠方向側の端部）の高さ位置Ｔ４が、受け金具８３，８４の上端部の高さ位置Ｔ２より、上方（解錠方向側）に位置している。
【０１４０】
このため、鍵を用いずに開状態にある内枠１２を閉じた場合には、鉤部材６１３，６１４の突出側端縁部６１３ｈ，６１４ｈと受け金具８３，８４の前面部８３ａ，８４ａとが面接触するようにぶつかることとなり、鉤部材６１３，６１４は上方に摺動せず、内枠１２を閉状態とすることはできない。
【０１４１】
また、爪部６１３ｃ，６１４ｃの下辺部は、鉤部材６１３，６１４の突出側端縁部６１３ｈ，６１４ｈの下端部と同一高さ位置Ｔ１において略水平方向に沿って形成されている。
【０１４２】
従って、内枠１２を施錠する際には、鍵を用いてシリンダ錠７００を操作し、受け金具８３，８４によって妨げられない位置、すなわち解錠位置（図１７参照）まで鉤部材６１３，６１４を摺動変位させた後、爪部６１３ｃ，６１４ｃが受け金具８３，８４を越えて内枠１２を完全に閉じた状態とした上で、鉤部材６１３，６１４を係止位置へ戻す。
【０１４３】
さらに、本実施形態では、鉤部材６１３，６１４に対する不正な解錠操作を防ぐ構成が採用されている。以下、その構成について詳しく説明する。
【０１４４】
図１６等に示すように、鉤部材６１３，６１４の基部６１３ａ，６１４ａにおける取付板６０２側の側縁部（前端縁部）には、その長手方向略中央部において凹部７２０が形成されている。
【０１４５】
凹部７２０は、上部の上凹部７２０ａと、下部の下凹部７２０ｂとからなる。上凹部７２０ａは、その深さが下凹部７２０ｂに比べ比較的浅めに設定されるとともに、上方に向かうにつれ徐々に深くなっている。
【０１４６】
凹部７２０が形成されていることによって、基部６１３ａ，６１４ａの取付板６０２側の側縁部は、凹部７２０上方に位置する上側縁部７２１と、凹部７２０下方に位置する下側縁部７２２とに分断されている。鉤部材６１３，６１４が摺動する際には、これら上側縁部７２１及び下側縁部７２２のうち少なくとも一方が取付板６０２に摺接する（図１６及び図１７参照）。
【０１４７】
また、取付板６０２のうち、係止位置にある鉤部材６１３，６１４の上側縁部７２１と相対向する部位には、規制手段となる孔部としての溝７２５が形成されている。
【０１４８】
これにより、鍵を用いずに、係止位置にある鉤部材６１３，６１４の突出部６１３ｂ，６１４ｂや爪部６１３ｃ，６１４ｃに対し線材等を引っ掛けて、当該突出部６１３ｂ等に対し解錠方向（上方)への外力がかけられると、図１９に示すように鉤部材６１３，６１４の姿勢が、係止状態時の基準姿勢からガイドピン６３１，６３２を中心として取付板６０２側へ回動変化する。そして、基部６１３ａ，６１４ａの上側縁部７２１が溝７２５内へ差し込まれる。このような状態となると、これ以上、突出部６１３ｂ等に解錠方向への外力がかかって鉤部材６１３，６１４が解錠方向へ摺動しようとしても、基部６１３ａ，６１４ａの上側縁部７２１が溝７２５の上縁部７２５ａに引っ掛かるため、鉤部材６１３，６１４の解錠方向への摺動変位は、溝７２５の遊び長を除き実質的に規制される。もちろん、溝７２５の遊び長は、溝７２５の上縁部７２５ａに基部６１３ａ，６１４ａの上側縁部７２１が当接した状態でも、爪部６１３ｃ，６１４ｃが受け金具８３，８４から離脱しない程度に設定されている。
【０１４９】
また、溝７２５の上下長が長すぎると、鉤部材６１３，６１４の正規の摺動動作時においても、基部６１３ａ，６１４ａが溝７２５に嵌まり込んでしまい、適正な摺動動作を行うことができなくなるおそれがあるため、本実施形態では、できる限り溝７２５の上下長を短く設定するとともに、基部６１３ａ，６１４ａの側縁部に凹部７２０を形成することで鉤部材６１３，６１４の所望の回動量を確保している。
【０１５０】
一方、鉤部材６１３，６１４の回動量が大きすぎると、爪部６１３ｃ，６１４ｃが受け金具８３，８４から離脱してしまうおそれがあるため、本実施形態では、鉤部材６１３，６１４が取付板６０２側へ回動すると、上凹部７２０ａの底部が溝７２５下方の取付板６０２に当接するようにし、その回動量が必要最低限で済むようにしている。なお、図１９に示すように、上凹部７２０ａの底部が溝７２５下方の取付板６０２に面接触するようにしているのは、鉤部材６１３，６１４に対する不正な解錠操作の負荷が局所的にかからないようにして、破損等を防止するためである。
【０１５１】
なお、凹部７２０を上凹部７２０ａと下凹部７２０ｂとに２段に分けて形成している理由としては、上述したように鉤部材６１３，６１４の所望の回動量を確保する機能と、その回動を規制する機能とを併せ持たせるためである。そのため、上凹部７２０ａよりも回動軸であるガイドピン６３１，６３２側に位置する下凹部７２０ｂの深さをより深めに設定し、上凹部７２０ａが取付板６０２に当接する際に、より確実に下凹部７２０ｂが取付板６０２に当接しないようになっている。また、凹部７２０（下凹部７２０ｂ）の下端位置が、回動軸であるガイドピン６３１，６３２よりも上方位置となっている理由としては、上記凹部７２０の機能を確保しつつも、凹部７２０下方に位置する下側縁部７２２の上下長に所望の長さを確保して、鉤部材６１３，６１４の摺動動作の安定性を高めるためである。
【０１５２】
さらに、爪部６１３ｃ，６１４ｃの係止側辺部６１３ｊ，６１４ｊはアンダーカット状に形成されている。つまり、係止側辺部６１３ｊ，６１４ｊは、その下端側が上端側よりも基枠６０１側に位置するように、上下方向に対し傾斜している。仮に鉤部材６１３，６１４が基準姿勢にある場合に、爪部６１３ｃ，６１４ｃの係止側辺部６１３ｊ，６１４ｊが上下方向に沿った状態となる構成であると、鉤部材６１３，６１４が取付板６０２側へ回動した場合には、爪部６１３ｃ，６１４ｃの下端側が受け金具８３，８４の背面部から浮き上がり、爪部６１３ｃ，６１４ｃが離脱しやすくなる。この状態で、内枠１２を前方へ無理に引っ張り、開放させようとすれば、内枠１２が開放してしまうおそれもある。これに対し、本実施形態では、鉤部材６１３，６１４に対する不正な解錠操作により、鉤部材６１３，６１４が取付板６０２側へ回動した場合には、爪部６１３ｃ，６１４ｃの係止側辺部６１３ｊ，６１４ｊが受け金具８３，８４の背面部に対し面接触して、係止状態が確保されるようになっている。
【０１５３】
以上詳述したように、鍵を用いずに線材等によって鉤部材６１３，６１４に対し直接の解錠操作、すなわち不正な解錠操作が行われた場合には、鉤部材６１３，６１４の姿勢が回動変化し、鉤部材６１３，６１４の解錠方向への摺動変位が規制される。これにより、鉤部材６１３，６１４は係止位置に維持されるため、内枠１２の開放は許容されない。結果として、線材等を用いた不正解錠に対する防御性能の向上が図られる。
【０１５４】
なお、本実施形態では、鉤部材６１３，６１４が係止位置において基準姿勢より回動した場合には、基部６１３ａ，６１４ａの上側縁部７２１が溝７２５内へ差し込まれることにより、溝７２５の上縁部７２５ａにおいて鉤部材６１３，６１４の解錠方向への摺動変位が規制される。このため、規制手段となる無駄な出っ張り部分を形成する必要もなく、支持板６０３の前後幅を極力狭め、施錠装置６００の大型化を抑制することができる。さらに、溝７２５を設けつつも、鉤部材６１３，６１４が基準姿勢にある場合には、基部６１３ａ，６１４ａの上側縁部７２１及び下側縁部７２２のうち少なくとも一方が取付板６０２に沿って摺動できるため、鉤部材６１３，６１４の摺動動作の安定性を高めることができる。
【０１５５】
また、本実施形態では、内枠１２及び前面枠セット１４の解錠に摺動杆６１０を共用しつつも、内枠１２の解錠及び前面枠セット１４の解錠を別々に行うことができる。結果として、内枠１２と前面枠セット１４とを別々に開放でき、メンテナンス時等の作業性の向上を図るとともに、部品点数の増加を抑制することができる。このような構成では、鉤部材６１３，６１４を摺動杆６１０に対して上下動可能に係合する構成を採用せざるを得ないため、鉤部材６１３，６１４に対する直接の解錠操作によっては当該鉤部材６１３，６１４が上下動しないようにする上記防御機能がより奏効することとなる。
【０１５６】
さらに、本実施形態では、鉤部材６１３，６１４の突出側端縁部６１３ｈ，６１４ｈが上下方向に沿って略直線状に形成されている。そして、鍵を用いずに開状態にある内枠１２を閉じた場合には、鉤部材６１３，６１４の突出側端縁部６１３ｈ，６１４ｈと受け金具８３，８４の前面部８３ａ，８４ａとが面接触するようにぶつかることとなり、鉤部材６１３，６１４は上方に摺動せず、内枠１２を閉状態とすることはできないようになっている。従って、鉤部材６１３，６１４の解錠方向への摺動変位を規制する上記構成を採用した場合でも、鉤部材６１３，６１４や受け金具８３，８４の変形や破損等といった不具合の発生を抑えるとともに、仮に内枠１２を開放する不正行為が行われた場合でも、比較的容易かつ素早く内枠１２が閉じられてしまうことがないため、遊技ホールの店員等が上記不正行為を早期発見することができるようになる。
【０１５７】
また、鉤部材６１３，６１４が上方へ摺動する際には、コイルばねＣ１，Ｃ２の引張力により、鉤部材６１３，６１４はフランジ部６３５，６３６側へ引き付けられるため、係止状態中の基準姿勢を略維持しつつ上方へ摺動する。このため、鍵を用いて行う正規の解錠操作時に、取付板６０２側の溝７２５によって、鉤部材６１３，６１４の動きが阻害されてしまうといった不具合を防止することができる。
【０１５８】
さらに、各鉤部材６１３，６１４は、それぞれ独立して摺動変位するように構成されているため、不正行為により仮に鉤部材６１３，６１４のいずれか一方が上方へ摺動させられてしまった場合でも、他方の鉤部材６１３，６１４は摺動しないため、内枠１２の施錠状態が保持され、開放は許容されない。結果として、鉤部材６１３，６１４の解錠方向への摺動変位を規制する上記構成との相乗効果により、不正解錠に対する防御性能がさらに向上する。
【０１５９】
なお、上述した実施形態の記載内容に限定されず、例えば次のように実施してもよい。
【０１６０】
（ａ）施錠装置６００の構成は上記実施形態に限定されるものではない。例えば、上記実施形態では、前面枠セット１４の施錠機構に関し、前面枠セット１４側に、爪部を有する前面枠セット鉤部１４ａ，１４ｂ，１４ｃが設けられ、施錠装置６００側に、前記爪部と係合する前面枠セット施錠部材６１７，６１８，６１９が設けられているが、施錠装置６００側に爪部を有する鉤部材を設け、前面枠セット１４側に当該爪部と係合する受部を設けてもよい。この場合、解錠の際には、施錠装置６００側の鉤部材が動作することとなる。
【０１６１】
（ｂ）上記実施形態では、内枠１２の施錠機構及び前面枠セット１４の施錠機構が、単一の施錠装置６００によって具現化されている。これに限らず、内枠１２の施錠機構となる施錠装置と、前面枠セット１４の施錠機構となる施錠装置とを別々に設けた構成としてもよい。この場合、例えば内枠１２の施錠機構となる施錠装置を外枠１１側に備える構成としてもよい。
【０１６２】
（ｃ）上記実施形態では、内枠１２の施錠機構に関し、鉤部材６１３，６１４の解錠方向への摺動変位を規制する構成を採用しているが、これに限らず、他の施錠機構に関して前記構成を採用してもよい。例えば、内枠１２を固定枠とし、これに対し開閉可能に支持された扉体としての前面枠セット１４を施錠する施錠機構に関して前記構成を採用してもよい。
【０１６３】
（ｄ）上記実施形態では、鉤部材６１３，６１４が係止位置において基準姿勢より回動した場合には、基部６１３ａ，６１４ａの上側縁部７２１が、規制手段としての溝７２５内へ差し込まれることにより、溝７２５の上縁部７２５ａにおいて鉤部材６１３，６１４の解錠方向への摺動変位が規制されるように構成されている。規制手段は上記実施形態の溝７２５に限られるものではない。例えば、規制手段として、溝７２５に代えて凹部を設けてもよいし、取付板６０２より突出した突起部を設けてもよい。また、上記実施形態では、取付板６０２のうち、係止位置にある鉤部材６１３，６１４の上側縁部７２１と相対向する部位において、規制手段となる溝７２５が形成されているが、規制手段の形成位置は、これに限定されるものではなく、例えば支持板６０３側のフランジ部６３５，６３６に形成してもよい。
【０１６４】
（ｅ）鉤部材６１３，６１４の構成は上記実施形態に限定されるものではない。例えば、上記実施形態では、突出側端縁部６１３ｈ，６１４ｈが上下方向に沿って略直線状に形成された鉤部材６１３，６１４を採用しているが、これに代えて、例えば突出側端部が従来のように略三角形状となったものであってもよい。しかしながら、本発明が、鉤部材６１３，６１４の解錠方向への摺動変位を規制する構成を採用していることを考慮すれば、鍵を用いずに開状態にある内枠１２を閉じてしまった場合における受け金具８３，８４との衝突による変形や破損等から鉤部材６１３，６１４等を保護する点において、上記実施形態の構成とすることが好ましい。
【０１６５】
また、鉤部材６１３，６１４及びこれに対応する受け金具８３，８４の数は２つに限定されるものではなく、１つであってもよいし、３つ以上であってもよい。
【０１６６】
また、上記実施形態では、鉤部材６１３，６１４が上方へ摺動することにより、受け金具８３，８４から離脱する構成となっているが、鉤部材６１３，６１４が下方へ摺動することにより、受け金具８３，８４から離脱する構成を採用してもよい。
【０１６７】
（ｆ）上記実施形態では、鉤部材６１３，６１４が基準位置にある場合において、鉤部材６１３，６１４の突出側端縁部６１３ｈ，６１４ｈの下端部の高さ位置Ｔ１が、受け金具８３，８４の上端部の高さ位置Ｔ２より下方、かつ、受け金具８３，８４の下端部の高さ位置Ｔ３より上方に位置している。また、鉤部材６１３，６１４の突出側端縁部６１３ｈ，６１４ｈの上端部の高さ位置Ｔ４が、受け金具８３，８４の上端部の高さ位置Ｔ２より、上方に位置している。これに限らず、少なくとも、鉤部材６１３，６１４の突出側端縁部６１３ｈ，６１４ｈの下端部の高さ位置Ｔ１が、受け金具８３，８４の上端部の高さ位置Ｔ２より下方に位置するとともに、鉤部材６１３，６１４の突出側端縁部６１３ｈ，６１４ｈの上端部の高さ位置Ｔ４が、受け金具８３，８４の下端部の高さ位置Ｔ３より上方に位置していればよい。
【０１６８】
（ｇ）上記実施形態における施錠装置６００には、シリンダ錠７００の背面側を覆うようにして施錠カバー７０５が取付固定されている。そして、施錠カバー７０５によって、カム板７０３と摺動杆６１０との係合部が覆われるとともに、摺動杆６１０の膨出部６１０ａ略全体（上下の段差部を含む）が覆われている。これに限らず、施錠カバー７０５を省略した構成としてもよし、施錠カバー７０５によって覆われる範囲が異なる構成としてもよい。
【０１６９】
（ｈ）上記実施形態のシリンダ錠７００は、鍵の挿入がない場合にはロック状態となり、カム板７０３が変位不能となる。そして、摺動杆６１０が基準位置にある場合には、係合爪７０３ａ，７０３ｂが双方とも係合孔６２１，６２２に挿入された状態となっており、ロック状態にあるカム板７０３により摺動杆６１０の摺動が規制されるようになっている。これに限らず、カム板７０３が変位不能とならないシリンダ錠を採用してもよい。また、摺動杆６１０が基準位置にある場合において、係合爪７０３ａ，７０３ｂが係合孔６２１，６２２に挿入された状態とならず、摺動杆６１０の摺動が規制されない構成を採用してもよい。前記両構成などを採用した場合には、鉤部材６１３，６１４の解錠方向への摺動変位を規制する上記構成が、より奏効することとなる。
【０１７０】
（ｉ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【符号の説明】
【０１７１】
１０…パチンコ機、１１…外枠、１２…内枠、１４…前面枠セット、６００…施錠装置、６０１…基枠、６０２…取付板、６０３…支持板、６１０…摺動杆、６１３，６１４…鉤部材、６１３ａ，６１４ａ…基部、６１３ｂ，６１４ｂ…突出部、６１３ｃ，６１４ｃ…爪部、６１３ｈ，６１４ｈ…突出側端縁部、７００…シリンダ錠、７２０…凹部、７２０ａ…上凹部、７２１…上側縁部、７２５…溝、Ｃ１，Ｃ２…コイルばね。
【図１】
0005435002.tif 000002
【図２】
0005435002.tif 000003
【図３】
0005435002.tif 000004
【図４】
0005435002.tif 000005
【図５】
0005435002.tif 000006
【図６】
0005435002.tif 000007
【図７】
0005435002.tif 000008
【図８】
0005435002.tif 000009
【図９】
0005435002.tif 000010
【図１０】
0005435002.tif 000011
【図１１】
0005435002.tif 000012
【図１２】
0005435002.tif 000013
【図１３】
0005435002.tif 000014
【図１４】
0005435002.tif 000015
【図１５】
0005435002.tif 000016
【図１６】
0005435002.tif 000017
【図１７】
0005435002.tif 000018
【図１８】
0005435002.tif 000019
【図１９】
0005435002.tif 000020